(57)【要約】【課題】光ディスクを取り出し忘れて電源を落とし、次の電源投入時に強制的になされる光ディスクの読み込み動作を回避すると共に、より省電力化を図った映像再生装置を提供する。【解決手段】映像再生装置１は、ディスクトレイ上に載置された光ディスク５の重さで機械的な上下動をして電気回路をオン／オフするスイッチ部２と、スイッチ部２のオン／オフ状態に基づいて、光ディスク５の読み込み動作を行うか否かを制御するメインマイコン３と、を備える。スイッチ部２のオフ状態とは、光ディスク５がディスクドライブに挿入後に回転用モータに固定された状態、若しくは光ディスク５がディスクドライブに挿入されていない状態のいずれかである。メインマイコン３は、電源投入時に、スイッチ部２がオフ状態である場合、光ディスク５の読み込み動作を開始しない制御を行うことで、不必要な光ディスク５の読み込み動作を回避して省電力化を図ることができる。【選択図】図３
2012014752.tif 000002
【特許請求の範囲】
【請求項１】
光源から光ディスクに射出した光ビームの反射光を受光して電気信号に変換することで光ディスクに記録された映像を再生する映像再生装置において、
装置の起動後に、装置本体への光ディスクの取り込みが行われたか否かを検知するディスク取込検知手段と、
前記ディスク取込検知手段による検知結果に基づいて、光ディスクの読み込み動作を行うか否かを制御する制御手段と、を備えることを特徴とする映像再生装置。
【請求項２】
前記ディスク取込検知手段は、ディスクトレイ上に載置された光ディスクの重さで機械的な上下動をして電気回路をオン／オフするスイッチ部であり、
前記制御手段は、前記スイッチ部のオン／オフ状態に基づいて、光ディスクの読み込み動作を行うか否かを制御することを特徴とする請求項１記載の映像再生装置。
【請求項３】
前記スイッチ部のオフ状態とは、光ディスクがディスクドライブに挿入後に回転用モータに固定された状態、若しくは光ディスクがディスクドライブに挿入されていない状態のいずれかであり、
前記制御手段は、装置の起動時に、前記スイッチ部がオフ状態である場合、光ディスクの読み込み動作を開始する制御を行わないことを特徴とする請求項２記載の映像再生装置。
【請求項４】
前記スイッチ部のオン状態とは、光ディスクがディスクトレイ上に載置された状態であり、
前記制御手段は、装置の起動後に、前記スイッチ部がオン状態からオフ状態に変更した場合、光ディスクの読み込み動作を開始する制御を行うことを特徴とする請求項２又は請求項３記載の映像再生装置。
【発明の詳細な説明】
【技術分野】
【０００１】
本発明は、光ディスクを用いて映像等の再生を行う映像再生装置に関する。
【背景技術】
【０００２】
従来より、映像再生装置において、ユーザの不注意によりディスクをディスクドライブから取り出し忘れて電源を落としてしまう場合がある。この場合、次の電源投入時（装置の起動時）においては、再生装置のディスク検知部がディスクドライブにディスクが有ると検知して強制的に取り出し忘れたディスクの読み込み動作が開始される。このため、電源投入時においてユーザは煩わしさを感じることとなる。
【０００３】
このような問題を回避するために、ディスクを機器内にセットしたまま電源スイッチを切ってしまった場合に、一定時間だけアラーム音を鳴らして取り出し忘れを防止する光ディスクプレーヤが開示されている（例えば、特許文献１参照）。
【０００４】
また、トレイにディスクが載置されずにオープン状態に放置されているとき、所定時間を経て警告を発したり、電源パワーを自動遮断させたり、自動再生を開始させたりすることができるディスクトレイ制御装置も開示されている（例えば、特許文献２参照）。
【先行技術文献】
【特許文献】
【０００５】
【特許文献１】実公平６−２４０４０号公報
【特許文献２】特開２００８−１４６７７８号公報
【発明の概要】
【発明が解決しようとする課題】
【０００６】
しかしながら、上記特許文献１の発明では、ユーザがアラーム音に気付かないで光ディスクをディスクドライブから取り出し忘れた場合、次の電源投入時には必ず強制的にユーザが意図しないディスクの読み込み動作が開始され、ユーザは煩わしさを感じるという問題がある。
【０００７】
また、電源投入時に行われるディスク検出部の動作は、光ピックアップのレーザ光の反射を用いるため、消費電力の無駄も発生するという問題もある。
【０００８】
本発明は、以上の課題に鑑みてなされたものであり、映像再生装置において、ディスクを取り出し忘れて電源を落とし、次の電源投入時に強制的になされるユーザの意図しないディスクの読み込み動作を回避すると共に、より省電力化を図った映像再生装置を提供することを目的とする。
【課題を解決するための手段】
【０００９】
上記目的を達成するために請求項１の発明は、光源から光ディスクに射出した光ビームの反射光を受光して電気信号に変換することで光ディスクに記録された映像を再生する映像再生装置において、装置の起動後に、装置本体への光ディスクの取り込みが行われたか否かを検知するディスク取込検知手段と、前記ディスク取込検知手段による検知結果に基づいて、光ディスクの読み込み動作を行うか否かを制御する制御手段と、を備えることを特徴とする。
【００１０】
この映像再生装置において、前記ディスク取込検知手段は、ディスクトレイ上に載置された光ディスクの重さで機械的な上下動をして電気回路をオン／オフするスイッチ部であり、前記制御手段は、前記スイッチ部のオン／オフ状態に基づいて、光ディスクの読み込み動作を行うか否かを制御することが好ましい。
【００１１】
この映像再生装置において、前記スイッチ部のオフ状態とは、光ディスクがディスクドライブに挿入後に回転用モータに固定された状態、若しくは光ディスクがディスクドライブに挿入されていない状態のいずれかであり、前記制御手段は、装置の起動時に、前記スイッチ部がオフ状態である場合、光ディスクの読み込み動作を開始する制御を行わないことが好ましい。
【００１２】
この映像再生装置において、前記スイッチ部のオン状態とは、光ディスクがディスクトレイ上に載置された状態であり、前記制御手段は、装置の起動後に、前記スイッチ部がオン状態からオフ状態に変更した場合、光ディスクの読み込み動作を開始する制御を行うことが好ましい。
【発明の効果】
【００１３】
請求項１に係る映像再生装置においては、装置の起動後に装置本体への光ディスクの取り込みが行われた否かの検出結果に基づいて、ディスク読み込み動作を制御する制御部を備えるため、電源投入時に強制的になされるディスク再生動作を回避することができる。
【００１４】
また、請求項２の発明によれば、機械的なスイッチ部の検出を用いるため、電源投入時のディスク検出において光ピックアップを用いる必要がなく、省電力化を図ることができる。
【図面の簡単な説明】
【００１５】
【図１】本発明の実施形態に係る映像再生装置のディスクトレイ部分の斜視図。
【図２】（ａ）同映像再生装置において光ディスクをディスクトレイ上に載置したときの断面図、（ｂ）同映像再生装置のモータ部において光ディスクをチャッキングしたときの断面図。
【図３】同映像再生装置の機能ブロック図。
【図４】同映像再生装置の動作手順を示すフローチャート。
【発明を実施するための形態】
【００１６】
本発明の実施形態に係る映像再生装置ついて図１乃至図４を参照して説明する。
【００１７】
図１は、本発明に係る映像再生装置１の外観図を示す。映像再生装置１は、例えばＤＶＤ(Digital Versatile Disc)やＢＤ（Blu-ray Disc）といった光ディスク５に記録された映像を再生するための装置である。この映像再生装置１は、スイッチ部２（ディスク取込検知手段）と光ピックアップ４とモータ部１０とディスクトレイ１１とを備えている。なお、この映像再生装置１は再生機能のみでなく録画機能を有する場合がある。
【００１８】
スイッチ部２は、ディスクトレイ１１に形成され、光ディスク５の有無を判断するため、光ディスク５の重さで機械的な上下動をすることで電気回路を開閉する機能を有するリミットスイッチ等である。
【００１９】
光ピックアップ４は、光を収束させて光ディスク５の表面に当て、その反射光を受光素子へと導くことにより光ディスク５に記録されたデータを読み出すために用いる部品である。光ディスク５は、ディスクドライブのディスクトレイ１１上に載置され、映像再生装置１の外部から内部にローディングされ、又はエジェクトボタンを用いて内部から外部に取り出される。モータ部１０は、光ディスク５を回転するためスピンドルモータに接続される。
【００２０】
次に、本実施形態に係る映像再生装置１に備わるスイッチ部２の動作を説明する。図２（ａ）に示すように、ディスクドライブのオープン時に光ディスク５がディスクトレイ１１上に載置されると、スイッチ部２は光ディスク５の重みで押下されＯＮ状態となる。スイッチ部２は、ディスクトレイ１１の裏面に沿って配設される電線２ａを介して映像再生装置１のメインマイコンに接続される。
【００２１】
一方、図２（ｂ）に示すように、光ディスク５がディスクドライブ内にローディングされた後には、ディスクトレイ１１上に載置された光ディスク５は、モータ部１０にチャッキング（固定）されてディスクトレイ１１上に浮いた状態となる。このときスイッチ部２はＯＦＦ状態となる。なお、光ディスク５がディスクドライブにローディングされていないときもスイッチ部２はＯＦＦ状態である。
【００２２】
次に、本実施形態の映像再生装置１の機能構成に関して説明する。図３に示すように、映像再生装置１は、スイッチ部２、メインマイコン（制御手段）３、光ピックアップ４、ローディングモータ６、スレッドモータ７、サーボ回路１３、ＬＤ（Laser Diode）ドライバ１４、ＲＦ(Radio Frequency)アンプ１５、及びモータドライバ１６を備える。
【００２３】
スイッチ部２は、ディスクトレイ１１上に光ディスク５が載置されているかを判定するための機械的なスイッチであり、スイッチ部２のＯＮ／ＯＦＦ状態をメインマイコン３が検知する。
【００２４】
メインマイコン３は、上記各処理部を制御するためのＣＰＵ、メモリやＩ／Ｏ部を有し、上記各処理部との間で制御信号を送受信する。また、メインマイコン３は、スイッチ部２から受信したＯＮ／ＯＦＦ信号に基づいて、電源投入時に光ディスク５の読み込み動作を開始するか否かを制御する。
【００２５】
光ピックアップ４は、ＬＤ４ａ、受光部４ｂ、及び対物レンズ４ｃを有する。ＬＤ４ａはレーザ光を作り光ディスク５に出射する。対物レンズ４ｃはＬＤ４ａが出射したレーザ光を光ディスク５に集光させて焦点を作り出す。受光部４ｂは、光ディスク５で反射され対物レンズ４ｃを通過したレーザ光を受光して、光電変換部品であるフォトディレクタ（ＰＤ）を用いて電気信号に変換する。
【００２６】
ローディングモータ６は、駆動することにより、光ディスク５が載置されるディスクトレイ１１を開閉するローディング動作を行う。スレッドモータ７は、駆動することにより光ピックアップ４を光ディスク半径方向に移動させる。
【００２７】
サーボ回路１３は、ＲＦアンプ１５が生成するフォーカスサーボエラー信号やトラッキングエラー信号に基づき光ピックアップ４が有するアクチュエータに駆動信号を送出し、対物レンズ４ｃを光ディスク面垂直方向および光ディスク半径方向に駆動させる。また、サーボ回路１３は、スレッドモータ７に駆動信号を送出して駆動させる。
【００２８】
ＬＤドライバ１４は、ＬＤ４ａに駆動信号を送出して駆動させる。ＲＦアンプ１５は、受光部４ｂからの電流信号に基づきフォーカスエラー信号、トラッキングエラー信号、反射光量信号を生成する。モータドライバ１６は、ローディングモータ６に駆動信号を送出して駆動させる。
【００２９】
以下、本実施形態に係る映像再生装置１の動作について説明する。図４に示すように、最初に、映像再生装置１の電源が投入されると（Ｓ４１でＹｅｓ）、メインマイコン３はスイッチ部２のＯＮ／ＯＦＦ状態を判定する（Ｓ４２）。
【００３０】
次に、メインマイコン３は、スイッチ部２がＯＦＦ状態であると検知する場合には（Ｓ４２でＹｅｓ）、光ディスク５はディスクトレイ１１から浮いているチャッキング状態（若しくは光ディスク５が挿入されていない状態）であると判定して（Ｓ４２でＹｅｓ）、レーザ出力を行うことなく、光ディスク５の読み込み作業に移行しない（Ｓ４３）。
【００３１】
一方、メインマイコン３は、映像再生装置１に電源が投入され（Ｓ４１でＹｅｓ）、スイッチ部２がＯＮ状態（Ｓ４２でＮｏ）であり、且つスイッチ部２がＯＮ状態からＯＦＦ状態に移行する場合（Ｓ４４でＹｅｓ）、光ディスク５が再生装置１内に挿入されてモータ部１０にチャッキングされたと判定する。従って、この場合、メインマイコン３は光ディスク５の読み込み動作を開始する（Ｓ４５）。なお、スイッチ部２がＯＮ状態のままでは（Ｓ４４でＮｏ）、メインマイコン３は光ディスク５の読み込み動作を開始しない。
【００３２】
光ディスク５の読み込み動作において、以下の処理を行う。すなわち、光源であるＬＤ４ａからレーザ光が発射され、発射されたレーザ光は、コリメータレンズで平行な光にされ、対物レンズ４ｃによって焦点を絞り込まれて光ディスク５に照射される。次に、光ディスク５において反射したレーザ光は、対物レンズ４ｃで平行光にされてビームスプリッタ等を用いて反射光を屈折させて集光レンズで集光され、受光部４ｂに備わるフォトディレクタ（ＰＤ）で光の強弱信号が電気信号に変換される。
【００３３】
以上の説明のように、本実施形態に係る映像再生装置１は、スイッチ部２のオン／オフ状態に基づいて光ディスク５の有無を判定して、電源投入時において、この光ディスク５の有無からディスク読み込み動作を開始するか否かを制御するメインマイコン３を備える。この構成により、映像再生装置１では、光ディスク５の取り出し忘れた後の電源投入時に行われる強制的な光ディスク５の読み込み動作を回避できる。
【００３４】
また、従来の再生装置では、起動時に光反射式のディスク検出センサを用いてディスクの有無を判断してディスクが有るときには強制的に読み込み動作を行うが、本実施形態に係る映像再生装置１では、ディスク検出センサの光検出動作を介さずにスイッチ部２及びメインマイコン３を用いて光ディスク５の有無を判断できるため、消費電力の無駄も省くことが可能となる。
【００３５】
なお、本発明は、上記実施形態の構成に限られず、発明の趣旨を変更しない範囲で種々の変形が可能である。例えば、光ディスク５を垂直方向に挿入する映像再生装置では、機械的なスイッチ部２とする以外に、受光素子を有して光ディスクによる反射光の有無によりディスクの有無を検出する光反射式のスイッチ部とすることも考えられる。また、光ディスク５には、読み込み専用メディアのみでなく書き込みも可能なＢＤ−ＲＥやＤＶＤ−ＲＷ等も含まれる。
【符号の説明】
【００３６】
１  映像再生装置
２  スイッチ部（ディスク取込検知手段）
３  メインマイコン（制御手段）
４  光ピックアップ
４ａ  レーザダイオード
４ｂ  受光部
４ｃ  対物レンズ
５  光ディスク
６  ローディングモータ
７  スレッドモータ
１３  サーボ回路
１４  ＬＤドライバ
１５  ＲＦアンプ
１６  モータドライバ
【図１】
2012014752.tif 000003
【図２】
2012014752.tif 000004
【図３】
2012014752.tif 000005
【図４】
2012014752.tif 000006